(57)【要約】      （修正有）【課題】冷却効果を向上させることができ、同時に、サーバを個別に保護しつつ、外部からの観察を容易にするサーバラック用のブランクパネルを提供する。【解決方法】上下方向にスリットが形成された第１の前面板１００と、当該第１の前面板に対して第１の蝶番を介して接続され、上下方向にスリットが形成された第１の固定板１１０とを有する第１の部材と、前記スリットに対応する位置に取手１４０または止め具を有する第２の前面板１６０と、当該第２の前面板に対して第２の蝶番を介して接続され、前記スリットに対応する位置に止め具を有する第２の固定板とを有する第２の部材とを備え、前記止め具を前記スリットに挿通させて固定することによって、前記第１の部材を、前記第２の部材に対して任意の位置で固定することができる。【選択図】図１
0003151282.tif 000002
【実用新案登録請求の範囲】
【請求項１】
上下方向にスリットが形成された第１の前面板と、当該第１の前面板に対して第１の蝶番を介して接続され、上下方向にスリットが形成された第１の固定板とを有する第１の部材と、
前記スリットに対応する位置に取手または止め具を有する第２の前面版と、当該第２の前面板に対して第２の蝶番を介して接続され、前記スリットに対応する位置に止め具を有する第２の固定板とを有する第２の部材とを備え、
前記止め具を前記スリットに挿通させて固定することによって、前記第１の部材を、前記第２の部材に対して任意の位置で固定することができるサーバラック用ブランクパネル。
【請求項２】
前記第１の部材を前記第２の部材に対して任意の位置で固定した状態で、前記第１の前面板と前記第２の前面板を一体として開閉できるよう、前記第２の蝶番と前記第２の前面板との間および前記第２の蝶番と前記第２の固定板との間には、前記第１の部材の厚さに相当する部材片を介在させた請求項１に記載のサーバラック用ブランクパネル。
【請求項３】
前記第１の蝶番と第２の蝶番の回転軸は、実質的に同一の直線上に位置する請求項１又は２の何れかに記載のサーバラック用ブランクパネル。
【請求項４】
前記第１の前面板と第２の前面板は透明または半透明な材料からなる請求項１ないし３のいずれかに記載のサーバラック用ブランクパネル。
【請求項５】
さらに、実質的に第２の部材と同一な第３の部材を有し、第１の部材に対して第２と第３の部材が任意の位置で固定することができる請求項１ないし４の何れかに記載のサーバラック用ブランクパネル。
【考案の詳細な説明】
【技術分野】
【０００１】
本考案は、サーバラック用のブランクパネル、特に、サーバラックの前面に取り付けることができ、高さ方向の寸法が可変なブランクパネルに関するものである。
【背景技術】
【０００２】
コンピュータサーバは一般に一定の横幅を有するように規格化されており、したがって、複数のサーバを搭載するサーバラックも規格化されたサーバを搭載することを前提に、所定の横幅を有するのが一般的である。サーバラックには、最大限上下方向に複数のサーバを隙間無く搭載することが可能であるが、放熱の要請等により、上下方向に隙間を空けてサーバを搭載することもよく行われる。サーバは発熱量が大きいため、冷却装置を設けることが多いが、その場合、サーバの前面から冷気を吸引し、サーバ内を流れる気流によってサーバを冷却し、サーバの背面から熱せられた空気を上方に流して吸引、排気することが多い。
【０００３】
一方、特に上下方向にある程度隙間を空けて複数のサーバをサーバラックに搭載した場合、サーバの背面から排出された熱気は、上方のサーバ相互の隙間を通ってサーバの前面に流れ、サーバの冷却効率を低下させるような気流を生じえることが分かった。
【０００４】
サーバの背面からの熱気がサーバ間の隙間を通ってサーバの前面に回り込むのを防ぐ為に、サーバ間の隙間にブランクパネルをはめ込むことが一般的に行われている。サーバラック内にはサーバ監視用の端末（ノートパソコン等）等を置くことがあり、端末の操作や確認をするので、端末の前方を常時開放し、サーバの冷却効率を低下させる問題があった。
【考案の概要】
【考案が解決しようとする課題】
【０００５】
本考案は、上記のようなサーバラックに搭載したサーバの冷却効率の低下を防止することを目的としてなされたもので、サーバおよびサーバ相互間の隙間を塞ぐことで、サーバの背面を上方に流れるべき気流が前記隙間を通ってサーバの前面に流れることを防止し、結果的にサーバの効率的な冷却に寄与するサーバラック用ブランクパネルを提供することを目的とするものである。
既存のブランクパネルの高さは固定のため、（サーバ、監視用端末、その他の機器の入れ替え等による）上下方向の寸法（高さ）の変化に柔軟に対応できるブランクパネルを提供することも本発明の目的である。また、冷却効果を向上させ、かつサーバラックに設置したサーバ監視端末等の機器の操作が可能で、端末の確認が可能なブランクパネルを提供することも目的のひとつである。
【課題を解決するための手段】
【０００６】
上記の課題を解決するために、本考案は、上下方向にスリットが形成された第１の前面板と、当該第１の前面板に対して第１の蝶番を介して接続され、上下方向にスリットが形成された第１の固定板とを有する第１の部材と、
前記スリットに対応する位置に取手または止め具を有する第２の前面板と、当該第２の前面板に対して第２の蝶番を介して接続され、前記スリットに対応する位置に止め具を有する第２の固定板とを有する第２の部材とを備え、
前記止め具を前記スリットに挿通させて固定することによって、前記第１の部材を、前記第２の部材に対して任意の位置で固定することができるサーバラック用ブランクパネルを提案する。
【０００７】
本明細書において、スリットとは第１の前面板と第１の固定板を貫通する溝を言うものとする。第１および第２の前面板は、サーバラックの横幅に実質的に等しい横幅を有して、サーバの前面を覆うことができるものであってもよいし（片開きブランクパネル）、サーバラックの横幅の約半分の横幅を有して、左右一対のブランクパネルによってサーバの全面を覆うものであっても良い（観音開きブランクパネル）。止め具は第２の部材を貫通して第１の部材方向に突出したボルトと蝶ナットから構成され、ボルト部分を第１の前面板および第１の固定板に形成されたスリットを貫通させ、第１の前面板と第１の固定板の第２の前面板と第２の固定板とは反対側から蝶ナットを締め付けることによって第１の部材と第２の部材を相互に結合させるものであるのが好ましい。スリットおよび止め具は、第１の部材と第２の部材を所定の位置で重ね合わせたときに、止め具がスリットを貫通することのできる位置関係であることが必要である。
【０００８】
上記の構成を有するサーバラック用ブランクパネルによれば、スリットに対する止め具の位置を適宜設定して固定することにより、第１の部材と第２の部材の相対的な位置関係（上下方向の位置関係）を自在に決定することができる。したがって、サーバラックに取り付けた際に、ブランクパネルによって閉じるべき上下方向の寸法（高さ）を必要に応じて自在に決定することができる。このことは、サーバラックの上方にサーバが搭載され、下方にサーバ監視用の端末が搭載されているような場合にサーバ監視用の端末の前方およびサーバと端末の間の空隙の前面を覆うようにブランクパネルを設けるような場合には非常に便利である。サーバ間の空隙を覆うことによって、当該空隙を通ってサーバの背面から前面へ流れる気流を阻止して、サーバラックに搭載されたサーバ全体の冷却効率を向上させることができるからである。
【０００９】
前記第１の部材を前記第２の部材に対して任意の位置で固定した状態で、前記第１の前面板と前記第２の前面板を一体として開閉できるよう、前記第２の蝶番と前記第２の前面板との間および前記第２の蝶番と前記第２の固定板との間には、前記第１の部材の厚さに相当する部材片を介在させるのが好ましい。
【００１０】
第１の前面板と第２の前面板を止め具によって相互に固定して一体として開閉するためには、蝶番が強固なものである場合には特に、前記第１の蝶番と第２の蝶番の回転軸は、実質的に同一の直線上に位置することが好ましい、あるいは、必要である。このような構成によって、第１の部材と第２の部材は、上下方向の相互の位置を自在に変更することができ、かつ、一体として開閉可能である。
【００１１】
前記第１の前面板と第２の前面板は透明または半透明な材料からなるのが好ましい。サーバラック内にサーバ監視用の端末などを設置することが有るが、前面板が透明又は半透明であれば、これらを開放することなく端末の表示内容（サーバの稼動状況等）の確認が可能だからである。
【００１２】
さらに、実質的に第２の部材と同一な第３の部材を有し、第１の部材に対して第２と第３の部材が任意の位置で固定することができるものであってもよい。第３の部材の位置を第１の部材に対して自在に固定することによって全体の高さ方向の寸法を変更できることは第２の部材同様であるが、第３の部材を有することによって寸法変更の幅を大きく変更することができる。当該第３の部材は、第１の部材に対して着脱可能であって、第１と第２の部材によるよりもさらに大きな高さをカバーする必要が有る場合に第１の部材に取り付けるものであっても良い。
【００１３】
第３の部材に対して着脱可能な第４の部材（当該第４の部材は第１の部材と同様の構造を有する）を用いてもよく、さらに他の部材を追加することが可能であることは自明である。
【図面の簡単な説明】
【００１４】
【図１】本考案に基づくサーバラック用ブランクパネルの第１の実施例を示す正面図
【図２】本考案に基づくサーバラック用ブランクパネルの第２の実施例を示す斜視図
【図３】本考案に基づくサーバラック用ブランクパネルの第２の実施例において、扉を開いた状態を示す斜視図
【図４】本考案に基づくサーバラック用ブランクパネルの第３の実施例を示す斜視図
【図５】本考案に基づくサーバラック用ブランクパネルを用いたことによる冷却効果を示す実験結果
【図６】本考案に基づくサーバラック用ブランクパネルの第4の実施例
【考案を実施するための形態】
【００１５】
以下に、実施例に基づいて本考案について詳細に説明するが、実施例は本考案の理解を助けるために記載するものであって、本考案を記載された実施例に限定する趣旨で無いことは自明である。
【００１６】
図１は、本考案の第１の実施例を示す図である。本考案に基づくサーバラック用ブランクパネルは第１の部材と第１の部材から構成されている。第１の部材は第１の前面板１００と蝶番１２０、１２２を介して第１の前面板１００と接続された第１の固定板１１０から構成される。したがって、第１の前面板１００は、蝶番１２０を中心に回転して扉を開閉することができる。第１の前面板１００と第１の固定板１１０にはそれぞれ、縦方向のスリット１３０、１３２、１３４、１３６が形成されている。
【００１７】
第２の部材は、第２の前面板１６０と第２の固定板とが蝶番１７０によって接合された構造である。図示した方向から見た場合、第１の部材は第２の部材よりも手前側に位置している。第２の固定板は、ボルト等（図示しない）によってサーバラックの柱材（縦方向に伸びる部材）に固定される。第１の部材と第２の部材は、縦方向にはほぼ等しい寸法を有している。第２の固定板はサーバラックの柱材に固定され、第２の前面板は、前記第１の前面板同様に蝶番１７０の周りに回転して扉を開閉することができる。第２の前面板１６０と第２の固定板には、取手１４０とボルトと蝶ナットからなる止め具１５０、１５２、１５４を挿通させるための貫通孔が形成されており、取手１４０と止め具１５０、１５２、１５４は、前記貫通孔と前記スリット１３０、１３２、１３４、１３６を貫通して第１の部材と第２の部材を相互に固定するように締め付けられている。したがって、取手１４０を把持して扉を開閉すると、第１と第２の前面板は同時に開閉する。取手１４０の裏側には適宜磁石を配置して、扉を閉じた状態で磁石がサーバラックに磁力によって固定されるように構成してもよい。また、磁石の位置は必ずしも取手１４０の裏側に限定されず、扉を閉じた状態で金属部分に接触する位置であれば他の位置であってもよい。また扉を閉じた状態で金属部分に接触しない場合は、補助的な金属を配置して固定させてもよい。
【００１８】
図示した方向からは見えないので図示されていないが、蝶番１７０と第２の前面板との間あるいは蝶番１７０と第２の固定板との間には、前記第１の部材の厚さ（つまり、第１の前面板と第１の固定板のそれぞれ）に相当する部材片が挟まれている。これは、第１の部材に取り付けられた蝶番１２０、１２２と第２の部材に取り付けられた蝶番１７０の回転軸を同軸として、第１と第２の前面板が同時に開閉可能にするためにである。
【００１９】
前記止め具１５０、１５２、１５４は任意の位置で第１と第２の部材を相互に固定することができるので、第１の部材の位置を第２の部材に対して上下に動かすことによって、ブランクパネルの上下方向の寸法を自由に変更することができる。したがって、サーバラックに搭載されたサーバの上下方向の距離などに応じてブランクパネルが覆うべき面積（縦方向の寸法）を適宜調節することが可能である。上記のブランクパネルの横方向の寸法は、サーバラックの横幅とほぼ等しいものであっても良いが、サーバラックの横幅よりも小さくても良い。
【００２０】
図２は、本考案に基づくブランクパネルの第２の実施例を図示したものである。ブランクパネルの構成は前述のものとほぼ同様であるが、横幅はサーバラックの横幅のほぼ半分であり、観音開き状に設けられた２つのブランクパネルによってサーバラックの前面を覆うように構成されている。すなわち、第１の前面板２００、第１の固定板２１０によって構成される第１の部材と、第２の前面板２６０、第２の固定板２８０によって構成される第２の部材からなる右扉と第３の前面板２０２、第３の固定板によって構成される第３の部材と、第４の前面板２６２、第４の固定板によって構成される左扉が、左右対称に配置され、左扉と右扉とでサーバラックの前面を覆うように構成されている。
【００２１】
図３は、前記第２の実施例に基づくブランクパネルの右扉だけを開放した状態を示す斜視図である。図からは必ずしも明瞭でないが、第１〜第４の前面板は透明な材料（ポリカーボネート、ポリ塩化ビニル、ガラス等）からなり、扉を閉じた状態でもサーバの状態を確認できるようになっている。
【００２２】
図４は、本考案の第３の実施例に基づくブランクパネルを図示したものである。スリット３３０が形成された第１、第３の前面扉３００、３０２が、第２、第４の前面扉３６０、３６２よりも上方に位置する相違点があるほか、第１、第３の部材の上下方向の寸法が第２、第４の部材の上下方向寸法よりも小さい点が前記第１、第２の実施例とは異なる。
【００２３】
図５は、複数のサーバを搭載したサーバラックに本考案に基づく（第１の実施例）ブランクパネルを取り付けて、冷却効果の改善を観測した実験結果である。対象は、サーバラックの下部でサーバの前面側に冷気吹出し孔が設けられ、サーバラックの後背部の上方に排気口が設けられている一般的な換気構造である。サーバラックには上下の間隔をあけて３台のサーバが搭載されており、中央と上方の２台のサーバに上下方向から挟まれた空間（中央のサーバの上方の空間）の温度を測定した。１つ目のブランクパネルを下のサーバとその上部空間を塞ぐ位置に、２つめのブランクパネルを中央のサーバとその上部空間を塞ぐ位置にそれぞれ取り付けた。
【００２４】
本考案に基づくブランクパネルを取り付けていない初期の２４時間は、温度はほぼ一定して２８．４°Ｃであったのに対して、本考案に基づくブランクパネルを取り付けた後は一定して２７．２°Ｃになっており、１°Ｃ以上の冷却効果が観測された。これは、ブランクパネルの取り付けによって、サーバ前面の空間に沿って冷気が上昇し、サーバの上下の空間を後背部方向に流れ、サーバ後背部の空間を上昇して排気口に到達する気流が形成されたためと考えられる。これに対して、ブランクパネルが取り付けられていない状態では、下方のサーバによって暖められた空気が一旦サーバの前方に回り、中央のサーバの上方を通って後背部に流れる気流が発生していたためと考えられる。
【００２５】
上記から明らかなように、本考案に基づくブランクパネルによれば、冷却効果を向上させることができ、同時に、サーバを個別に保護しつつ、外部からの観察を容易にする等の効果が得られる。本考案による上記以外の効果は、明細書の記載から当業者に明らかであると考える。
【符号の説明】
【００２６】
１００、２００、２０２、３００、３０２  第１の前面板
１１０、２１０、３１０                  第１の固定板
１２０、１２２                          蝶番
１３０、１３２、１３４、１３６、３３０  スリット
１４０                                  取手
１５０、１５２、１５４                  止め具
１６０、２６０、２６２、３６０、３６２  第２の前面板
１７０、２８０、３８０                  第２の固定板
【図１】
0003151282.tif 000003
【図２】
0003151282.tif 000004
【図３】
0003151282.tif 000005
【図４】
0003151282.tif 000006
【図５】
0003151282.tif 000007
【図６】
0003151282.tif 000008